(57)【要約】【課題】光ファイバ故障時に、光パスのリルートにより同じ光ファイバに電気パスの０系および１系が収容されることのない信頼性の高いフォトニックネットワークを実現する。【解決手段】光パスおよび電気パスを収容する複数の伝送路を０系面または１系面のいずれかに分類して独立した２つの伝送網をそれぞれ構成し、光パスの現用ルートを０系面に設定し、光パスの予備ルートを１系面に設定し、電気パスの現用ルートと予備ルートとを０系面に設定し、電気パスの現用ルートと予備ルートとは故障リスクが独立的なルートにそれぞれ設定し、光パスの現用ルートに故障が発生した場合には自動的に予備ルートに切替えを行う。【選択図】　図１
2004015512.tif 000002
【特許請求の範囲】
【請求項１】
光パスと電気パスとを有し、
前記光パスと前記電気パスとは各々現用ルートと予備ルートとを有し、
前記電気パスの少なくとも一部は光パスに収容されるフォトニックネットワークにおいて、
前記光パスおよび前記電気パスを収容する複数の伝送路を０系面または１系面のいずれかに分類して独立した２つの伝送網をそれぞれ構成し、
前記光パスの現用ルートが前記０系面に設定され、
前記光パスの予備ルートが前記１系面に設定され、
前記電気パスの現用ルートと予備ルートとは前記０系面に設定され、
前記電気パスの現用ルートと予備ルートとは故障リスクが独立的なルートにそれぞれ設定され、
前記光パスの現用ルートに故障が発生した場合には自動的に予備ルートに切替えを行う
ことを特徴とするフォトニックネットワーク。
【請求項２】
前記独立的なルートは、光ファイバおよび中継ノードを共有しないルートである請求項１記載のフォトニックネットワーク。
【請求項３】
光パスと電気パスとを有し、
前記光パスと前記電気パスとは各々現用ルートと予備ルートとを有し、
前記電気パスの少なくとも一部は光伝送路によって構成され、
前記光パスおよび前記電気パスを収容する複数の伝送路を０系面または１系面のいずれかに分類して独立した２つの伝送網をそれぞれ構成するフォトニックネットワークに適用され、
前記光パスの現用ルートを前記０系面に設定する手段と、
前記光パスの予備ルートを前記１系面に設定する手段と、
前記電気パスの現用ルートと予備ルートとを前記０系面の故障リスクが独立的なルートにそれぞれ設定する手段と
を備え、
前記光パスの現用ルートに故障が発生した場合には自動的に予備ルートに切替えを行う手段を備えたことを特徴とするノード。
【請求項４】
光パスと電気パスとを有し、
前記光パスと前記電気パスとは各々現用ルートと予備ルートとを有し、
前記電気パスの少なくとも一部は光パスに収容されるフォトニックネットワークの構成方法において、
前記光パスおよび前記電気パスを収容する複数の伝送路を０系面または１系面のいずれかに分類して独立した２つの伝送網をそれぞれ構成し、
前記光パスの現用ルートを前記０系面に設定し、
前記光パスの予備ルートを前記１系面に設定し、
前記電気パスの現用ルートと予備ルートとを前記０系面の故障リスクが独立的なルートにそれぞれ設定する
ことを特徴とするフォトニックネットワークの構成方法。
【発明の詳細な説明】
【０００１】
【発明の属する技術分野】
本発明は、それぞれ現用ルートおよび予備ルートを有する光パスおよび電気パスが設定されるフォトニックネットワークに利用する。
【０００２】
【従来の技術】
従来のフォトニックネットワークを図４を参照して説明する。従来のフォトニックネットワークでは光パスは光パスのレイヤで独立な経路を確保し、故障および事故の際にプロテクションを行う。一方、ＭＰＬＳ（Ｍｕｌｔｉ　Ｐｒｏｔｏｃｏｌ　Ｌａｂｅｌ　Ｓｗｉｔｃｈｉｎｇ）の電気パスは、予備系（例では１系）の選択は現用系（０系）の光ファイバをシェアしないルートで選択している。また、図示されてはいないが、光ファイバのみではなく、同一の中継ルータを使用しない工夫をしている。そのことにより、光ファイバなどの事故が生じても、電気パスレベルでリストレーションは独立に行われている。
【０００３】
【発明が解決しようとする課題】
このような従来のフォトニックネットワークでは、光ファイバに故障が生じた場合には、光パスが自動的にリルートしてしまう。図４の例では、その光パスに入っている電気パスは破線のようなルートへ強制的にリルートされる。この場合には、リルート後に現用として用いられている破線の電気パスと電気パス（１系）とは、それぞれ同一の光ファイバの故障リスクをシェアしてしまう可能性もある。したがって、このリスクがシェアされた光ファイバの故障時には、電気レベルでのリルートを行う場合は、リルートできない問題があった。
【０００４】
本発明は、このような背景に行われたものであって、光ファイバ故障時に、光パスのリルートにより同じ光ファイバに電気パスの０系および１系が収容されることのない信頼性の高いフォトニックネットワークを提供することを目的とする。
【０００５】
【課題を解決するための手段】
本発明は、光パスおよび電気パスを収容する複数の伝送路を０系面または１系面のいずれかに分類して独立した２つの伝送網をそれぞれ構成することを最も主要な特徴とする。さらに、光パスの現用ルートが０系面に設定され、光パスの予備ルートが１系面に設定され、電気パスの現用ルートと予備ルートとは０系面に設定され、電気パスの現用ルートと予備ルートとは故障リスクが独立的なルートにそれぞれ設定されることを特徴とする。さらに、このように構成されたフォトニックネットワークにおいて、光パスの現用ルートに故障が発生した場合には自動的に予備ルートに切替えを行うことを特徴とする。
【０００６】
これにより、現用（０系面）の光パスの故障をノードが検出すると、ノードは、０系面の現用光パスから１系面の予備光パスに光パスの移動を行う。この過程で、故障した光パスに収容されている電気パスは、光パスと共に、自動的に１系面に移動する。したがって、光ファイバ故障時に、光パスのリルートにより同じ光ファイバに電気パスの０系および１系が収容されることのない信頼性の高いフォトニックネットワークが実現できる。
【０００７】
すなわち、本発明の第一の観点は、光パスと電気パスとを有し、前記光パスと前記電気パスとは各々現用ルートと予備ルートとを有し、前記電気パスの少なくとも一部は光パスに収容されるフォトニックネットワークである。
【０００８】
ここで、本発明の特徴とするところは、前記光パスおよび前記電気パスを収容する複数の伝送路を０系面または１系面のいずれかに分類して独立した２つの伝送網をそれぞれ構成し、前記光パスの現用ルートが前記０系面に設定され、前記光パスの予備ルートが前記１系面に設定され、前記電気パスの現用ルートと予備ルートとは前記０系面に設定され、前記電気パスの現用ルートと予備ルートとは故障リスクが独立的なルートにそれぞれ設定され、前記光パスの現用ルートに故障が発生した場合には自動的に予備ルートに切替えを行うところにある。前記独立的なルートは、例えば、光ファイバおよび中継ノードを共有しないルートである。
【０００９】
本発明の第二の観点はノードであって、本発明の特徴とするところは、光パスと電気パスとを有し、前記光パスと前記電気パスとは各々現用ルートと予備ルートとを有し、前記電気パスの少なくとも一部は光伝送路によって構成され、前記光パスおよび前記電気パスを収容する複数の伝送路を０系面または１系面のいずれかに分類して独立した２つの伝送網をそれぞれ構成するフォトニックネットワークに適用され、前記光パスの現用ルートを前記０系面に設定する手段と、前記光パスの予備ルートを前記１系面に設定する手段と、前記電気パスの現用ルートと予備ルートとを前記０系面の故障リスクが独立的なルートにそれぞれ設定する手段とを備え、前記光パスの現用ルートに故障が発生した場合には自動的に予備ルートに切替えを行う手段を備えたところにある。
【００１０】
本発明の第三の観点は、光パスと電気パスとを有し、前記光パスと前記電気パスとは各々現用ルートと予備ルートとを有し、前記電気パスの少なくとも一部は光パスに収容されるフォトニックネットワークの構成方法である。
【００１１】
ここで、本発明の特徴とするところは、前記光パスおよび前記電気パスを収容する複数の伝送路を０系面または１系面のいずれかに分類して独立した２つの伝送網をそれぞれ構成し、前記光パスの現用ルートを前記０系面に設定し、前記光パスの予備ルートを前記１系面に設定し、前記電気パスの現用ルートと予備ルートとを前記０系面の故障リスクが独立的なルートにそれぞれ設定するところにある。
【００１２】
【発明の実施の形態】
本発明実施例のフォトニックネットワークを図１および図２を参照して説明する。図１は本実施例のフォトニックネットワークの概念図である。図２は本実施例のフォトニックネットワークにおける故障時の状況を示す図である。
【００１３】
本実施例では、フォトニックネットワークを０系面と１系面とに分離する。光パスはいわゆるデュアルホーミングで必ずこの０系面もしくは１系面より独立ルートを容易に選択することができる。次に電気のルートは０系面よりリスク要素（光ファイバまたはルータ）などが独立となるように現用系（０系）と予備系（１系）とを設定する。
【００１４】
故障時の状況を図２に示す。光ファイバレベルのリルートは、１系面の光ファイバへ移動する。図２においてはリルート後の電気パスの現用系は破線のように１系面へ移り、先の電気パスの予備系である１系は０系の光面にあり、この電気レベルでの２つの電気リンクは独立経路を完全に容易に保証することができる。
【００１５】
次に、本実施例で用いるノードを図３を参照して説明する。図３は本実施例のノードのブロック構成図である。本実施例のノードは、光パスの現用ルートを０系面に設定し、光パスの予備ルートを１系面に設定する光パス設定部１と、電気パスの現用ルートと予備ルートとを０系面の故障リスクが独立的なルートにそれぞれ設定する電気パス設定部２とを備え、光パスの現用ルートに故障が発生した場合には自動的に予備ルートに切替えを行う現用予備切替部３を備える。また、光パスの故障を検出する故障検出部４を備える。
【００１６】
次に、本実施例のノードの動作を説明する。図３に示す故障検出部４が現用（０系面）の光パスの故障を検出すると、現用予備切替部３は０系面の現用光パスから１系面の予備光パスへ光パスの移動を行う。この過程で、故障した光パス（図２の円筒内）に収容されている電気パス（図２の実線）は、光パスとともに、自動的に１系面へ移動する（図２の破線）。
【００１７】
【発明の効果】
以上説明したように、本発明によれば、光ファイバ故障時に、光パスのリルートにより同じ光ファイバに電気パスの０系および１系が収容されることのない信頼性の高いフォトニックネットワークを実現できる。
【図面の簡単な説明】
【図１】本実施例のフォトニックネットワークの概念図。
【図２】本実施例のフォトニックネットワークの故障時の状況を示す図。
【図３】本実施例のノードのブロック構成図。
【図４】従来のフォトニックネットワークを説明するための図。
【符号の説明】
１　光パス設定部
２　電気パス設定部
３　現用予備切替部
４　故障検出部
【図１】
2004015512.tif 000003
【図２】
2004015512.tif 000004
【図３】
2004015512.tif 000005
【図４】
2004015512.tif 000006